(57)【要約】      （修正有）【課題】乗り物や衣類をはじめとする、あらゆる加工品に対する認識・盗難防止システムを提供する。【解決手段】加工品に対し、記憶素子やメモリ・チップ、ＩＣチップ、アンテナ付きＩＣチップ、ＩＣタグなど（以降、チップと総称）が付与されており、チップには当該加工品の特定の識別コードが記憶されており、そのチップまたは特定の識別コードは当該加工品の全部または一部を破壊しなければ書き換えあるいは取り出しができず、適当な読み取り機でチップまたは特定の識別コードを読み出すことができる。【選択図】図１
2008198215.tif 000002
【特許請求の範囲】
【請求項１】
あらゆる物体や人工品（以降、加工品と総称）に対する信頼性の高い認識システム、あるいは盗難防止システム（以降、認識・盗難防止システム）であり、記憶素子やメモリ・チップ、ＩＣチップ、アンテナ付きＩＣチップ、ＩＣタグなど（以降、チップと総称）が付与されており、チップには当該加工品の特定の識別コードが記憶されており、そのチップまたは特定の識別コードは当該加工品の全部または一部を破壊しなければ書き換えあるいは取り出しができず、適当な読み取り機でチップまたは特定の識別コードを読み出すことができることを特徴とするシステム。
【請求項２】
前記チップが１つまたは複数個、加工品の全体あるいは特定の部位、あるいは特定または不特定の部位の中の特定あるいは不特定の部位に、規則的あるいは不規則的に付与されていることを特徴とする請求項１に記載の認識・盗難防止システム。
【請求項３】
前記チップが、加工品の一つあるいはそれ以上の構成物質の内部、あるいは外部、あるいは外側または内側、あるいは間に埋め込まれていることを特徴とする請求項１乃至２に記載の認識・盗難防止システム。
【請求項４】
前記加工品の一つあるいはそれ以上の構成物質がカーボンファイバー、繊維強化レジン、繊維強化プラスチック、ガラス、セラミックス、プラスチック、ガラス繊維強化プラスチック、炭素繊維強化プラスチック、ＳｉＣ繊維強化プラスチック、繊維、織物、布地、皮革、毛皮、木材、紙あるいはこれらの相当・類似物質の中から一つ、またはそれ以上から形成されることを特徴とする請求項１乃至２乃至３に記載の認識・盗難防止システム。
【請求項５】
前記加工品の一つあるいはそれ以上の構成物質がカーボンファイバー、繊維強化レジン、繊維強化プラスチック、ガラス、セラミックス、プラスチック、ガラス繊維強化プラスチック、炭素繊維強化プラスチック、ＳｉＣ繊維強化プラスチック、繊維、織物、布地、皮革、毛皮、あるいはこれらの相当・類似物質の中から一つ、またはそれ以上から形成される層状構造を有することを特徴とする請求項１乃至２乃至３乃至４に記載の認識・盗難防止システム。
【請求項６】
前記チップがＶＩＮ  ＣＯＤＥ（１９７９年のＩＳＯ３７７９や１９８０年のＩＳＯ３７８０などで自動車用に規定されたもの、Ｖｅｈｉｃｌｅ−Ｉｄｅｎｔｉｆｉｃａｔｉｏｎ−Ｎｕｍｂｅｒの略）や車両識別番号、車体番号、シリアル・ナンバー、ＨＩＮ／ＣＩＮ  ＣＯＤＥ（Ｈｕｌｌ／Ｃｒａｆｔ−Ｉｄｅｎｔｉｆｉｃａｔｉｏｎ−Ｎｕｍｂｅｒ、１９９０年にＩＳＯ１００８７などでボートなどのために規定されたもの）など、時代の法律に適合した認識番号やその他の有用な情報を付帯的に保持しており、自動車、自家用車、オートバイや自転車などの２輪車、バス、ボート、船、飛行機、トラック、電車などの乗り物に応用・利用される、あるいはされていることを特徴とする請求項１乃至２乃至３乃至４乃至５に記載の認識・盗難防止システム。
【発明の詳細な説明】
【技術分野】
【０００１】本発明は、乗り物や衣類をはじめとする、あらゆる物体や人工品（以降、加工品と総称）に対する信頼性の高い認識システム、あるいは盗難防止システム（以降、認識・盗難防止システム）に関する。
【背景技術】
【０００２】自動車やオートバイ、ボートをはじめとする乗り物が生産されるようになると同時に、それらを盗難から防ぎ、かつ所有者を特定する技術開発の必要性に迫られ、開発がほぼ同時進行で進められてきた。盗難を防止し、所有者を特定する目的のため、自動車にはＶＩＮ  ＣＯＤＥが、船舶にはＨＩＮ  ＣＯＤＥやＣＩＮ  ＣＯＤＥが制定された。【０００３】盗難防止とはまったく異なる技術開発であるが、ＩＣタグを中心とするＲＦＩＤはユビキタス社会の期待の星として高い注目を集めており、実証実験が進められている。
ＲＦＩＤ（Ｒａｄｉｏ  Ｆｒｅｑｕｅｎｃｙ  Ｉｄｅｎｔｉｆｉｃａｔｉｏｎ）とは、電波を使った非接触の自動認識技術のことである。ＲＦＩＤでは、タグやラベルという形に加工されたアンテナ付ＩＣチップ（総称してＩＣタグと呼ばれる）を商品や人に付与し、そのＩＣチップとの間で専用装置（リーダーやライター）を使って情報をやり取りすることで、商品や個人を特定したり認証したりすることができるようになる。ＲＦＩＤを使った代表的な実用例といえば、ＪＲ東日本の「Ｓｕｉｃａ」やＪＲ西日本の「ＩＣＯＣＡ」をあげることができる。これらにはＩＣチップと無線用アンテナが埋め込まれていて、自動改札機に搭載されているリーダー／ライターとの間で近距離通信を行い金額データの読み取りや、所定の運賃を差し引いたデータの書き込みを行なう仕組みになっている。
【発明の開示】
【発明が解決しようとする課題】
【０００４】しかしながら、従来の技術で得られた認識技術や、識別番号の制定では、自動車やオートバイ、船舶といった乗り物や衣類、バッグなどの有効な個体識別や盗難防止が成し遂げられてこなかった。船舶においてはＨＩＮ  ＣＯＤＥやＣＩＮ  ＣＯＤＥが制定され、ボートなどの各船舶にはこうしたＣＯＤＥが刻印された銘版が取り付けられるが、銘版が比較的大きく、かつ数本のボルトなどで船舶の本体に取り付けられているだけであるので、盗難された場合、容易にこうした銘版が取り外され、偽造した銘版が変わりに取り付けられるので、その後発見されても信頼性のある個体識別はすでに不可能となる。自動車においても車体番号などの識別番号はエンジンなど目につかない部位に刻印されているだけであり、実際には盗難車の発見の役にはあまり立っていない。たとえ自動車のガラスに刻印しても、ガラス自体を張り替えてしまうなど、窃盗団の技術開発も進展していることから、発見後の個体識別、盗難防止はほぼ不可能な状態である。ましてや高級衣服や高級カバンなど、個体識別や盗難防止は極めて困難である。
【課題を解決するための手段】
【０００５】本発明はこのような問題を鑑みてなされたものであり、乗り物や衣類をはじめとする、あらゆる加工品に対する認識・盗難防止システムを提供することにある。すなわち本発明は、以下の通りである。【０００６】発明１は加工品に対する認識・盗難防止システムであり、記憶素子やメモリ・チップ、ＩＣチップ、アンテナ付きＩＣチップ、ＩＣタグなど（以降、チップと総称）が付与されており、チップには当該加工品の特定の識別コードが記憶されており、そのチップまたは特定の識別コードは当該加工品の全部または一部を破壊しなければ書き換えあるいは取り出しができず、適当な読み取り機でチップまたは特定の識別コードを読み出すことができることを特徴とする。【０００７】発明２は発明１のシステムにおいて、前記チップが１つまたは複数個、加工品の全体あるいは特定の部位、あるいは特定または不特定の部位の中の特定あるいは不特定の部位に、規則的あるいは不規則的に付与されていることを特徴とする。【０００８】発明３は発明１乃至２のシステムにおいて、前記チップが、加工品の一つあるいはそれ以上の構成物質の内部、あるいは外部、あるいは外側または内側、あるいは間に埋め込まれていることを特徴とする。【０００９】発明４は発明１乃至２乃至３のシステムにおいて、前記加工品の一つあるいはそれ以上の構成物質がカーボンファイバー、繊維強化レジン、繊維強化プラスチック、ガラス、セラミックス、プラスチック、ガラス繊維強化プラスチック、炭素繊維強化プラスチック、ＳｉＣ繊維強化プラスチック、繊維、織物、布地、皮革、毛皮、木材、紙、あるいはこれらの相当・類似物質の中から一つ、またはそれ以上から形成されることを特徴とする。【００１０】発明５は発明１乃至２乃至３乃至４のシステムにおいて、前記加工品の一つあるいはそれ以上の構成物質がカーボンファイバー、繊維強化レジン、繊維強化プラスチック、ガラス、セラミックス、プラスチック、ガラス繊維強化プラスチック、炭素繊維強化プラスチック、ＳｉＣ繊維強化プラスチック、繊維、織物、布地、皮革、毛皮、あるいはこれらの相当・類似物質の中から一つ、またはそれ以上から形成される層状構造を有することを特徴とする。【００１１】発明６は発明１乃至２乃至３乃至４乃至５のシステムにおいて、前記チップがＶＩＮ  ＣＯＤＥ（１９７９年のＩＳＯ３７７９や１９８０年のＩＳＯ３７８０などで自動車用に規定されたもの、Ｖｅｈｉｃｌｅ−Ｉｄｅｎｔｉｆｉｃａｔｉｏｎ−Ｎｕｍｂｅｒの略）や車両識別番号、車体番号、シリアル・ナンバー、ＨＩＮ／ＣＩＮ  ＣＯＤＥ（Ｈｕｌｌ／Ｃｒａｆｔ−Ｉｄｅｎｔｉｆｉｃａｔｉｏｎ−Ｎｕｍｂｅｒ、１９９０年にＩＳＯ１００８７などでボートなどのために規定されたもの）など、時代の法律に適合した認識番号やその他の有用な情報を付帯的に保持しており、自動車、自家用車、オートバイや自転車などの２輪車、バス、ボート、船、飛行機、トラック、電車などの乗り物に応用・利用される、あるいはされていることを特徴とする。
【発明の効果】
【００１２】本発明によって、加工品に対する認識・盗難防止システムを達成することが可能となった。【００１３】個体認識という観点では、電波を使った非接触の自動認識技術により、容易に外部から迅速に、かつ非破壊で加工品を識別できるようになったことである。これを意図的に不可能にしようとした場合、加工品を本質的に破壊する必要があり、これを実行した場合、加工品本来の価値、特性などが消滅する。そのため、意図的にこのシステムの動作を止めることは本質的に無意味なこととなる。【００１４】盗難防止という観点では、前述したように個体認識を防ぐ行為が即ち加工品の本質的な破壊となるため、盗難後の偽造が不可能となり、盗難という行為自体に大きく歯止めをかけることになる。仮に一端盗難されても、外部から非接触で簡単に個体識別できることから、盗難品の利用も自粛せざるを得なくなる。これも盗難防止のための大きなメリットとなる。【００１５】更に、書き換え不可でありかつ電源供給の不必要なチップを採用しているため、偽造は不可能、かつほぼ無制限といえる寿命を持ったシステムとなる。【００１６】本発明のシステムは、特殊な識別番号を持っていなければならないあらゆる局面、加工品の委任代理人、警察、警備保障会社、保険代理店などによる信頼性の高い識別に極めて大きな威力を発揮する。認識・識別装置を特定の場所、あるいは特定の個人、例えば道、店、警察官などに設置すれば、盗難品の規則的なコントロールおよび探索に使用することができる。所有者に加工品に関する書類の提出を求める日通用もなく、身分証明書の確認だけで窃盗品、窃盗犯かどうかの判別ができる。さらに、このシステムは、事故や災害、大災害において、加工品の発見、識別等に役立つことになる。【００１７】加工品一つに付き複数個のチップを埋め込むことが非経済的であると懸念する向きもあるかもしれないが、チップ自体のコストはかなり低い。また、それらの付加、埋め込みは単純で、特別のツールや技術を必要としない。従って、本システムの導入は製品の製造コストから見ればほどんと無視できるようなものとなる。同時に、チップが加工品に埋め込まれているため、メンテナンス時にユーザーが特に注意を払う必要もない。更に加工品の概観にも全く影響を与えないという特徴を有する。
【発明を実施するための最良の形態】
【００１８】以下、本発明の実施の形態について説明する。主として図面を参照しながら説明するが、以下の説明は本発明の例示に過ぎず、これに限定されるものではない。【００１９】本発明は加工品の認識・盗難防止システムに関するものであり、ここでは船舶の一つであるモーターボートを例によって説明する。図１は炭素繊維強化プラスチックでできた構成物質０１の内部に、外部からの書き換えが不可能な設定のなされたＩＣタグでなる記憶媒体０２を埋め込んだものである。このＩＣタグでなる記憶媒体０２を読み取り機０３により個体の識別を行う。モーターボートの船底を炭素繊維強化プラスチックで製作、あるいはコーティングし、その内部に多数のＩＣタグを不規則的に埋め込むことで、個体識別が正確かつ容易に出来ると共に、これを偽造しようとすると船底全部を破壊しなければならなくなる。ところが船底を破壊してしまえば、モーターボートとしてはもはや使えなくなるため、このボートを盗難することは得策でないということになる。さらにＩＣタグは埋め込みなので、概観にも一切影響を与えない。同様にこれが自動車のボンネットやトランクフード、スポイラーなどを形成する。【００２０】図２は繊維強化レジンからなる構成物質０４と炭素繊維強化プラスチックから構成される構成物質０１との間にＩＣタグでなる記憶媒体０２が挟まれた構造となっており、これがモーターボートの船底を形成する。あるいは船底表面を形成する素材の内側にこれが位置しても構わない。図３は構成物質の外部表面に記憶媒体が取り付けられたものであり、図４は内側に、図５は２種の構成物質の間に取り付けられたものを示している。
【図面の簡単な説明】
【００２１】
【図１】炭素繊維強化ファイバーなどからなる構成物質に記憶媒体が埋め込まれ、読み取り機で外部から情報を読み取っている模式図である。
【図２】炭素繊維強化ファイバーやその他など、異なる２つの構成物質の間に記憶媒体が埋め込まれ、読み取り機で外部から情報を読み取っている模式図である。
【図３】炭素繊維強化ファイバーなどからなる構成物質の外部表面に記憶媒体が埋め込まれ、読み取り機で外部から情報を読み取っている模式図である。
【図４】炭素繊維強化ファイバーなどからなる構成物質の内部表面に記憶媒体が埋め込まれ、読み取り機で外部から情報を読み取っている模式図である。
【図５】炭素繊維強化ファイバーやその他など、異なる２つの構成物質の間に記憶媒体が取り付けられ、読み取り機で外部から情報を読み取っている模式図である。
【符号の説明】
【００２２】０１．．．構成物質１、０２．．．記憶媒体、０３．．．読み取り機、０４．．．構成物質２、３１．．．外部表面、４１．．．内部表面、５１．．．中間表面
【図１】
2008198215.tif 000003
【図２】
2008198215.tif 000004
【図３】
2008198215.tif 000005
【図４】
2008198215.tif 000006
【図５】
2008198215.tif 000007